(57)【要約】【課題】  テンプレートの特長を損なわず、嵌め込む画像の数を変更したアルバム画像を作成する。【解決手段】テンプレートＴＭ１には、画像を嵌め込むためのレイアウト枠として、メインレイアウト枠Ｆ１と、サブレイアウト枠Ｆ２が設定されている。メインレイアウト枠Ｆ１は、各ページのモチーフとなる重要度の高いメイン画像が割り当てられる。サブレイアウト枠Ｆ２には、比較的重要度の低いサブ画像が割り当てられる。画像数とレイアウト枠数の不一致から空白のサブレイアウト枠が生じると、余りのサブ画像が他のテンプレートに移動する。移動先のテンプレートでは、サブレイアウト枠Ｆ２の位置及びサイズが変更され、サブレイアウト枠Ｆ２が追加される。このとき、メインレイアウト枠Ｆ１の位置及びサイズは変更されず、テンプレートの特長が保たれたアルバム画像を作成できる。【選択図】        図５
2007049518.tif 000002
【特許請求の範囲】
【請求項１】
画像をレイアウトするためのレイアウト枠として、予め指定されたメイン画像を割り当てるためのメインレイアウト枠と、前記メイン画像と異なるサブ画像を割り当てるためのサブレイアウト枠とを有するテンプレートを用い、複数のレイアウト枠に各画像をそれぞれ割り当てたアルバム画像を作成する画像合成手段と、
複数ページのアルバム画像を作成する際に、前記サブ画像の数と前記サブレイアウト枠の数を比較して、両者が一致しない場合には、前記サブ画像の割り当てられない空白のサブレイアウト枠を削除すること、又は空白のサブレイアウト枠を有するページからサブ画像を移動するために他のページのテンプレートにサブレイアウト枠を追加することで前記サブ画像の数とサブレイアウト枠の数とを一致させるレイアウト枠数調節手段とを備えたことを特徴とするアルバム作成装置。
【請求項２】
前記サブレイアウト枠を増減できる数は、前記テンプレートに設定されたサブレイアウト枠の初期数に応じて予め定められていることを特徴とする請求項１記載のアルバム作成装置。
【請求項３】
前記メインレイアウト枠の縦横比を前記メイン画像の縦横比に合わせるメインレイアウト枠整合手段を備え、
前記サブレイアウト枠数調節手段は、前記メインレイアウト枠の縦横比の変化に応じて、前記サブレイアウト枠の形状、位置及びサイズのうち少なくとも１つを変更することを特徴とする請求項１又は２記載のアルバム作成装置。
【請求項４】
画像をレイアウトするためのレイアウト枠として、予め指定されたメイン画像を割り当てるためのメインレイアウト枠と、前記メイン画像と異なるサブ画像を割り当てるためのサブレイアウト枠とを有するテンプレートを用い、複数のレイアウト枠に各画像をそれぞれ割り当てたアルバム画像を作成する画像合成手段と、
複数ページのアルバム画像を作成する際に、前記サブ画像の数と前記サブレイアウト枠の数を比較して、両者が一致しない場合には、前記サブ画像の割り当てられない空白のサブレイアウト枠を削除すること、又は空白のサブレイアウト枠を有するページからサブ画像を移動するために他のページのテンプレートにサブレイアウト枠を追加することで前記サブ画像の数とサブレイアウト枠の数とを一致させるレイアウト枠数調節手段としてコンピュータを機能させることを特徴とするアルバム作成プログラム。
【発明の詳細な説明】
【技術分野】
【０００１】
本発明は、複数の静止画をテンプレート上に配列したアルバム画像を作成するアルバム作成装置に関する。
【背景技術】
【０００２】
デジタルスチルカメラ等を用いて撮影された静止画は、プリント写真として楽しむ他に、家庭用テレビ等の画面上に表示するスライドショーとして楽しむことができる。また、静止画を１枚ずつプリント又は表示することに限られず、複数の静止画を１つの画像に合成したアルバム画像として観賞することもできる。アルバム画像を作成する際には、静止画を嵌め込むための範囲を定めたレイアウト枠が設定されたテンプレートを使用すると便利である（特許文献１等参照）。
【０００３】
テンプレートを使用してアルバム画像を作成する際に、アルバム画像に使用する静止画の枚数と、使用するテンプレートのレイアウト枠の数とが異なると、最後のページのアルバム画像には静止画の嵌め込まれない空白のレイアウト枠が発生する。この場合、空白のレイアウト枠が発生したページの静止画は無駄に小さくなり、アルバム画像の見映えが悪くなる。
【０００４】
そこで、レイアウト枠の数が異なる複数種類のテンプレートを用意しておき、アルバムの最終ページに余りのレイアウト枠が生じたときに、最終ページの前ページのテンプレートをレイアウト枠の数が異なるテンプレートに置換え、静止画を前ページのテンプレートに組み込むようにしたアルバム作成装置が知られている（特許文献２参照）。例えば、アルバムの最終ページに２枚の静止画と、２つの空白のレイアウト枠が存在するとき、最終ページの余りの２枚の静止画をその前ページのテンプレートに組み込むために、前ページを構成するテンプレートが、レイアウト枠の数の２つ多いテンプレートに変更される。
【０００５】
また、レイアウト枠の設定されていない白紙ページに置かれた複数の静止画を、その位置とサイズを変更することにより、余分な空白が最も少ないマトリクス状に再配置するアルバム編集ソフトウェアが知られている（例えば非特許文献１参照）。
【特許文献１】特許２６８７７５５号公報
【特許文献２】特開２００５−８６３８２号公報
【非特許文献１】エー・アイ・ソフト株式会社  デジカメ de ベストアルバム４  ［平成１７年７月８日検索］インターネット＜ＵＲＬ：http://ai2you.com/imaging/products/album4/feature01.htm
【発明の開示】
【発明が解決しようとする課題】
【０００６】
しかしながら、特許文献２及び非特許文献１に記載の従来技術では、静止画の内容を考慮することなく、テンプレートの変更又は静止画の位置やサイズを変更する単純な再配置が行われてしまうために、記念写真等の重要な写真が小さく目立たないアルバム画像や、類似した２つの写真が大きく並んだアルバム画像等のように面白味のないアルバム画像が作成されてしまうという問題がある。
【０００７】
本発明は、上記問題点を考慮してなされたもので、空白のレイアウト枠が生じないようにアルバム画像を作成する際に、静止画の重要度に応じて適したレイアウトのアルバム画像を容易に作成できるアルバム作成装置及びそのためのアルバム作成プログラムを提供することを目的とする。
【課題を解決するための手段】
【０００８】
上記目的を達成するために、本発明のアルバム作成装置は、複数の画像をレイアウトするための複数のレイアウト枠を有するテンプレートを使用する。テンプレートには、予め指定されたメイン画像を割り当てるためのメインレイアウト枠と、前記メイン画像と異なるサブ画像を割り当てるためのサブレイアウト枠とが設定されている。各画像を複数のレイアウト枠にそれぞれ割り当てたアルバム画像を作成する画像合成手段によってテンプレートと画像を合成する。さらに、複数ページのアルバム画像を作成する際に、前記サブ画像の数と前記サブレイアウト枠の数を比較して、両者が一致しない場合には、前記サブ画像の割り当てられない空白のサブレイアウト枠を削除すること、又は空白のサブレイアウト枠が生じるテンプレートを移動元としてサブ画像を他のページのテンプレートに移動するためにサブレイアウト枠の数を追加することにより、前記サブレイアウト枠の数を前記サブ画像の数と一致させるレイアウト枠数調節手段によって空白のレイアウト枠が生じることをなくすものである。
【０００９】
また、前記サブレイアウト枠を増減できる数が、テンプレートに設定されたサブレイアウト枠の初期数に応じて予め定められていることを特徴とし、サブレイアウト枠の数が多いテンプレートは、サブレイアウト枠の増減数を大きくし、サブレイアウト枠の少ないテンプレートは、サブレイアウト枠の増減数を小さくすることで、テンプレートの特長となるサブレイアウト枠の位置や数が変化し過ぎないようにする。
【００１０】
また、前記メインレイアウト枠の縦横比を前記メイン画像の縦横比に合わせるメインレイアウト枠調節手段を備え、前記サブレイアウト枠数調節手段は、前記メインレイアウト枠の縦横比の変化に応じて、前記サブレイアウト枠の形状、位置及びサイズのうち少なくとも１つを変更することを特徴とし、例えば、メインレイアウト枠が横長の長方形であっても、縦長の長方形のメイン画像を適切にレイアウトし、横長のメインレイアウト枠が縦長に変更された際の余白の変化に応じてサブレイアウト枠を適切に配置するものである。
【００１１】
また、本発明のアルバム作成プログラムは、上記アルバム作成装置の機能が汎用コンピュータ等の演算処理によって実現されるものである。
【発明の効果】
【００１２】
本発明によれば、複数のテンプレートを使用することで、サブ画像の数とサブレイアウト枠の数が一致しない場合が生じると、空白のサブレイアウト枠の削除、又は余りのサブ画像を他のテンプレートに移動させるために移動先のテンプレートのサブレイアウト枠を増加して、メインレイアウト枠に嵌め込むメイン画像の位置や大きさが変わらないようにすることで、アルバム画像の主題となるメイン画像の印象が保たれ、テンプレートの特長が損なわれることを防止でき、重要度の高い画像と重要度の低い画像とが区別された見映えのよいアルバム画像を作成することができる。
【００１３】
また、サブ画像の移動先のテンプレートにおいてサブレイアウト枠の増減数を、元のサブレイアウト枠の数に基づいて制限することにより、サブレイアウト枠の数が少ないテンプレートに多数のサブレイアウト枠が詰め込まれ、サブ画像が小さく見づらくなることを防止できる。
【００１４】
メインレイアウト枠の縦横比をメイン画像の縦横比に合わせるから、縦長のメイン画像が横長のメインレイアウト枠に嵌め込まれた際に、メインレイアウト枠に合わせてメイン画像が縮小されて見づらくなることや、メイン画像の他の画像に対する印象が変化することを防止できる。また、メインレイアウト枠の縦横比の変化に応じてサブレイアウト枠の形状、サイズ、位置の少なくともいずれか１つを変更するから、メイン画像とサブ画像がテンプレート上でバランスよく配置された見映えのよいアルバム画像を作成することができる。
【発明を実施するための最良の形態】
【００１５】
図１において、アルバム作成装置１０は、ＲＯＭ１１に記憶されたアルバム作成プログラムＰＧ１を実行することにより制御部１２として機能するＣＰＵ１３を備えている。ＣＰＵ１３には、画像データ読み取り部１４，画像表示部１５，操作パネル１６が接続されている。画像データ読み取り部１４は、メモリカードから画像データを読み取るためのコネクタ、及びＣＤ等の光ディスクから画像データを読み取るためのディスクドライブ等から構成される。画像表示部１５は、液晶ディスプレイを備え、画像データとして読み取られた静止画、及び静止画を使用して作成されたアルバム画像等を表示する。操作パネル１６は、アルバム画像の作成時に必要なユーザーの入力操作を受付ける。
【００１６】
ＲＯＭ１１には、アルバム作成プログラムＰＧ１と、アルバム作成に使用されるテンプレートデータＴＤ１等が記憶されている。ＲＡＭ１７には、画像データ読み取り部１４から読み取られた画像データＰＤ１と、ＣＰＵ１３により作成されたアルバム画像データＡＤ１等が記憶される。ＣＰＵ１３は、アルバム作成プログラムＰＧ１を実行し、ページ設定部２０と、レイアウト枠整合部２１と、余剰枠検出部２２と、レイアウト枠数調節部２３と、画像合成部２４として機能する。
【００１７】
図２において、テンプレートデータＴＤ１としてＲＯＭ１１に予め記憶されたテンプレートＴＭ１には、静止画を嵌め込む範囲を定める複数のレイアウト枠が設定されている。レイアウト枠には、アルバム画像のページの主題となるメイン画像が嵌め込まれるメインレイアウト枠Ｆ１と、メイン画像と異なる他の画像がサブ画像として嵌め込まれるサブレイアウト枠Ｆ２とがある。メイン画像はユーザーが特定の画像を指定することで決まり、メイン画像に指定されなかった画像は全てサブ画像となる。
【００１８】
メイン画像は、主にアルバムのページのモチーフとして大きく飾られることに相応しい重要度の高い記念写真等が選ばれる。このため、メインレイアウト枠Ｆ１は、サブレイアウト枠Ｆ２よりもサイズが大きく設定されている。サブレイアウト枠Ｆ２の数は、メインレイアウト枠Ｆ１の数よりも多く、メインレイアウト枠Ｆ１の数はテンプレートごとに１つ又は２つ程度である。
【００１９】
ページ設定部２０は、ＲＯＭ１１に記憶されたテンプレートデータＴＤ１を読み出し、アルバム作成に使用するテンプレートを画像表示部１５に表示することで、アルバム作成に使用するテンプレートをユーザーに選択するように促す。また、テンプレートＴＭ１が選択された後、メインレイアウト枠Ｆ１とサブレイアウト枠Ｆ２にそれぞれ嵌め込む画像を指定するようにユーザーに促す。メインレイアウト枠Ｆ１に嵌め込む画像を指定するとその画像がメイン画像となり、サブレイアウト枠Ｆ２に嵌め込む画像を指定するとその画像がサブ画像となる。レイアウト枠と画像との対応関係が決定されると、１ページ分のアルバム画像の設定が終了し、同様に画像の数に応じて複数ページ分の設定が行われる。
【００２０】
図３において、レイアウト枠整合部２１は、メインレイアウト枠Ｆ１に嵌め込むメイン画像として選択された画像の縦横比を算出し、メインレイアウト枠Ｆ１の縦横比をメイン画像の縦横比に整合させる。各テンプレートには、メインレイアウト枠Ｆ１が縦長の場合と横長の場合とに対応してサブレイアウト枠Ｆ２を再配置する位置が設定されている。メインレイアウト枠Ｆ１の縦横比が切り替わると、これに基づいてサブレイアウト枠Ｆ２の位置が変更され、画像の占める領域と余白の領域とのバランスが保たれる。
【００２１】
なお、レイアウト枠整合部２１は、サブレイアウト枠Ｆ２に嵌め込むサブ画像として選択された画像の縦横比も算出し、サブレイアウト枠Ｆ２の縦横比をサブ画像の縦横比に整合させる。このとき、縦横比の変更されたサブレイアウト枠Ｆ２は、例えば、メインレイアウト枠Ｆ１とが重ならないようにその位置及びサイズが変更される。すなわち、１つのテンプレートには、メインレイアウト枠Ｆ１の縦横比の変化に対応したサブレイアウト枠Ｆ２の位置と、サブレイアウト枠Ｆ２の縦横比の変化に対応した各サブレイアウト枠Ｆ２の位置とが予め定められている。メインレイアウト枠Ｆ１は縦横比のみが変更され、位置とサイズは固定される。一方、サブレイアウト枠Ｆ２は、縦横比及び位置及びサイズが変更されるようになっている。
【００２２】
また、メインレイアウト枠Ｆ１と、サブレイアウト枠Ｆ２は、その縦横比を一定に固定することもできる。例えば、縦横比を一定に固定すると、横長のメインレイアウト枠Ｆ１に縦長のメイン画像を嵌め込む場合、メイン画像が横長に切り抜かれ、切り抜かれた横長のメイン画像が横長のメインレイアウト枠Ｆ１に嵌め込まれる。レイアウト枠整合部２１は、メイン画像に合わせてメインレイアウト枠Ｆ１の縦横比を変更する画像優先モードと、メインレイアウト枠Ｆ１の形状に切り抜いたメイン画像を嵌め込むレイアウト枠優先モードとをユーザーの判断によりレイアウト枠ごとに適宜切替えることができる。なお、サブ画像とサブレイアウト枠Ｆ２についても同様に２つのモードを切替えることができる。
【００２３】
余剰枠検出部２２は、ページ設定部２０によって画像とレイアウト枠とが対応付けられた複数のアルバム画像からなる各ページに、画像の割り当てられていない空白のレイアウト枠が存在するか否かを判定する。また、空白のレイアウト枠がある場合、そのテンプレートのサブレイアウト枠Ｆ２に割り当てられているサブ画像の数を特定する。さらに、メインレイアウト枠Ｆ１が空白であるか否かを判断し、これらの情報をレイアウト枠数調節部２３に送る。
【００２４】
図４において、レイアウト枠数調節部２３は、余剰枠検出部２２により空白のレイアウト枠が存在すると判定された際、空白のレイアウト枠をアルバムから取り除くための処理を行う。例えば、メインレイアウト枠Ｆ１が空白であり、サブレイアウト枠Ｆ２の一部が空白である場合には、不完全なアルバム画像となる余りのサブ画像が生じる。レイアウト枠数調節部２３は、この余りのサブ画像を他のページのテンプレートに組み込むために、他のテンプレートのサブレイアウト枠Ｆ２を増加する。この時、サブ画像の移動先のテンプレートは、メインレイアウト枠Ｆ１はそのままの位置及びサイズが保たれ、サブレイアウト枠Ｆ２は、その数の変化に対応して位置及びサイズが変化する。サブレイアウト枠Ｆ２が増加する場合、主にそのサイズが縮小され、サブレイアウト枠Ｆ２の互いの間隔が狭くなるように変化する。すなわち、サブ画像が追加されるテンプレートは、実質的には、メインレイアウト枠Ｆ１の位置とサイズが共通し、サブレイアウト枠Ｆ２の位置又は数が異なる他のテンプレートに置き換えられることになる。
【００２５】
また、レイアウト枠数調節部２３は、メインレイアウト枠Ｆ１が空白ではなく、サブレイアウト枠Ｆ２の一部のみが空白である場合には、空白のサブレイアウト枠Ｆ２を除去し、サブ画像の割り当てられたサブレイアウト枠Ｆ２のみを残すようにして、サブレイアウト枠Ｆ２の数を削減する。サブレイアウト枠Ｆ２が削減される際、その数の変化に対応してサブレイアウト枠Ｆ２の位置又はサイズが変更される。サブレイアウト枠Ｆ２の数が減少する場合には、主にその枠サイズが拡大され、サブレイアウト枠Ｆ２の互いの間隔が広くなるように変化する。
【００２６】
図５において、他のテンプレートに移動するサブ画像は、この全てを１つのテンプレートに組み込むか、複数のテンプレートにサブ画像を配分するかは、移動先のテンプレートの許容増加数によって決まる。例えば、余りのサブ画像が特定のテンプレートの許容増加数よりも多い場合、余りのサブ画像は複数のテンプレートに分かれて組み込まれる。この許容増加数はテンプレートごとに予め決められている。
【００２７】
許容増加数は、最初にユーザーにより選ばれたテンプレートのサブレイアウト枠Ｆ２の数に対し、すなわちサブレイアウト枠Ｆ２の初期数に対し、例えば１．５倍の範囲に決められ、これ以上の数のサブレイアウト枠Ｆ２を増加することはできない。例えば、サブレイアウト枠Ｆ２の数が２個及び３個のテンプレートではプラス１個まで、サブレイアウト枠Ｆ２の数が１０個のテンプレートはプラス５個までサブレイアウト枠Ｆ２の数を増加することができる。このようにすると、サブレイアウト枠Ｆ２のサイズ及び位置の極端な変化がなく、テンプレートの見た目の印象がほとんど変わらず、テンプレートの種類を選択したユーザーの意志が反映されたアルバム画像を作成できる。
【００２８】
画像合成部２４は、メイン画像及びサブ画像をテンプレートの各レイアウト枠に嵌め込んだアルバム画像を作成する画像合成処理を行う。画像合成処理が行われる際、各レイアウト枠が上述したレイアウト枠優先モードに設定されていれば、レイアウト枠の形状に合わせて画像の切り抜き処理が行われ、各レイアウト枠に画像が隙間のないように嵌め込まれる。
【００２９】
次に、アルバム作成装置１０の作用について説明する。図５において、画像データ読み取り部１４にメモリカード又は光ディスクをセットすると、これを検知した制御部１２は、セットされた記憶媒体から静止画の画像データＰＤ１を読み出し、読み出した画像データＰＤ１をＲＡＭ１７にコピーする。制御部１２は、画像データＰＤ１のコピーが終了すると、読み取られた静止画のサムネイル画像を作成し、複数のサムネイル画像を静止画の一覧として画像表示部１５に表示する。
【００３０】
ページ設定部２０は、テンプレートデータＴＤ１をＲＡＭ１７から読み出し、複数種類のテンプレートＴＭ１を画像表示部１５に表示する。ユーザーは、表示された複数種類のテンプレートＴＭ１からアルバム画像の作成に使用するテンプレートを選択する。ユーザーは、選択したテンプレートＴＭ１の各レイアウト枠に嵌め込む画像をそれぞれ選択し、画像のレイアウトを決める。１ページ分の設定が終わると、次のページに進むかどうかを選択し、次ページの設定を行う際には、テンプレートの選択と、各レイアウト枠に嵌め込む画像の選択とを行う。
【００３１】
このようにしてアルバムの各ページの設定が終了すると、ユーザーによる入力操作は完了し、アルバム作成装置１０によるアルバム画像の自動作成が開始される。余剰枠検出部２２は、ユーザーにより設定された各ページのアルバム画像に空白のレイアウト枠があるか否かを判定する。また、空白のレイアウト枠があると判定された際、そのレイアウト枠がメインレイアウト枠Ｆ１とサブレイアウト枠Ｆ２のどちらであるかを判別する。
【００３２】
レイアウト枠数調節部２３は、空白のレイアウト枠にメインレイアウト枠Ｆ１が含まれていた場合、そのページのサブ画像を余り画像として、他のテンプレートに組み込む処理を行う。なお、余りのサブ画像が生じるのは、大抵はアルバムの最終ページである。レイアウト枠数調節部２３は、他のページのテンプレートＴＭ１について、追加可能なサブレイアウト枠Ｆ２の数をそれぞれ算出し、余りのサブ画像の移動先のテンプレートを決定する。余りのサブ画像が組み込まれるテンプレートは、増加するサブレイアウト枠Ｆ２の枠数に基づいて各サブレイアウト枠Ｆ２の位置が変更されるとともに、その枠サイズが縮小される。
【００３３】
なお、テンプレートＴＭ１の種類によっては、サブレイアウト枠Ｆ２の位置又は枠サイズが変更されず、余白の領域に新たなサブレイアウト枠Ｆ２が追加されることもある。また、余りのサブ画像の移動先となるテンプレートは、サブ画像の移動元のページに近接する前後両隣等のページが選ばれる。これは、移動元のページから離れたページにサブ画像を移動するよりも、アルバムとして閲覧される際の画像の順序がユーザーの決めたものと大きく変わることを防ぎ、ユーザーの決めたアルバム画像のテーマをできるだけ損なわないようにするためである。
【００３４】
また、空白のレイアウト枠がサブレイアウト枠Ｆ２のみである場合には、メインレイアウト枠Ｆ１はそのまま同じ位置及びサイズに保たれ、空白のサブレイアウト枠Ｆ２がそのテンプレートから削除される。空白のサブレイアウト枠Ｆ２が削除されたテンプレートは、サブ画像の割り当てられたサブレイアウト枠Ｆ２の位置が変更されるとともに枠サイズが拡大される。
【００３５】
レイアウト枠数の調節が終了すると、画像合成部２４は、テンプレートの各レイアウト枠に画像を合成したアルバム画像を作成する。各レイアウト枠に画像を合成する際は、そのレイアウト枠が画像優先モードであるかレイアウト枠優先モードであるかが判定され、必要に応じて画像の切り抜き処理等が行われる。作成されたアルバム画像は、ＲＡＭ１７にアルバム画像データＡＤ１として記憶される。アルバム画像データＡＤ１は適宜読み出すことができ、画像表示部１５にアルバム画像を表示することができる。なお、アルバム画像データＡＤ１は、着脱自在な記憶媒体に複製できるようにすること、或いは、パーソナルコンピュータ等の外部機器に転送できるようにすることが好ましい。
【００３６】
以上のように、本発明の実施形態について説明したが、本発明は上記実施形態に限られず、適宜の変更が可能である。例えば、本発明は、アルバム画像を作成する専用の装置として構成されているが、アルバム作成プログラムＰＧ１が組み込まれたデジタルスチルカメラ、又はパーソナルコンピュータによってアルバム画像を作成するようにしてもよい。また、アルバム画像を作成する際には、デジタルスチルカメラにより撮影された画像以外にも、写真フイルムをスキャンして得られたカラー画像、カラー原稿をスキャンして得られた画像を使用することができる。
【００３７】
また、上記実施形態においては、ユーザーがテンプレートを選択し、テンプレートの各レイアウト枠に嵌め込む画像をユーザーが指定するようにしているが、これに限られることはなく、アルバム画像に使用する画像の中からメイン画像に指定する画像を選択した後、メイン画像の数に基づいてコンピュータが自動的にテンプレートを選択し、各テンプレートのサブレイアウト枠にサブ画像を割り当てていくようにしてもよい。この場合には、ユーザーの行う入力操作が少なくなるため、簡便なアルバム作成装置を実現できる。
【図面の簡単な説明】
【００３８】
【図１】アルバム作成装置の主要な構成を示すブロック図である。
【図２】テンプレートに画像を嵌め込む様子を示す概念図である。
【図３】メインレイアウト枠の縦横比がメイン画像の縦横比に整合する様子を示す概念図である。
【図４】サブレイアウト枠を追加する様子を示す概念図である。
【図５】複数のテンプレートにサブ画像を配分する様子を示す概念図である。
【図６】アルバム作成装置のフローチャートである。
【符号の説明】
【００３９】
１０  アルバム作成装置
１１  ＲＯＭ
１２  制御部
１３  ＣＰＵ
１４  画像データ読み取り部
１５  画像表示部
１６  操作パネル
２０  ページ設定部
２１  レイアウト枠整合部
２２  余剰枠検出部
２３  レイアウト枠数調節部
２４  画像合成部
ＰＧ１  アルバム作成プログラム
ＴＤ１  テンプレートデータ
ＰＤ１  画像データ
ＡＤ１  アルバム画像データ
ＴＭ１  テンプレート
Ｆ１  メインレイアウト枠
Ｆ２  サブレイアウト枠
【図１】
2007049518.tif 000003
【図２】
2007049518.tif 000004
【図３】
2007049518.tif 000005
【図４】
2007049518.tif 000006
【図５】
2007049518.tif 000007
【図６】
2007049518.tif 000008